【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
使用者の歯のうちの少なくとも一部に位置付けられように構成され、ある大きさにワックスを基剤とした組成物で作られるバリア層であって、該ワックスを基剤とした組成物が、パラフィンワックスおよびマイクロクリスタリンワックスを含む５０％から９３％までのワックス画分と、熱可塑性エラストマーとを含むバリア層を含む経口治療用装置。
【請求項２】
前記経口治療用装置は、歯科用漂白トレイである請求項１記載の経口治療用装置。
【請求項３】
前記経口治療用装置は、歯科漂白用帯片である請求項１記載の経口治療用装置。
【請求項４】
前記経口治療用装置は、病人、高齢者、または、虚弱な患者用の使用のためのトレイ、歯ぎしり防止トレイ、顎関節（ＴＭＪ）障害、スポーツマウスガード、スポーツマウスガードインサート、歯列矯正ガードトレイ、手術後の口腔保護装置、または、患者の歯の咬合面箇所を記録するための変形可能な装置のような、治療用トレイのうちから選択される請求項１記載の経口治療用装置。
【請求項５】
前記経口治療用装置は、１以上の歯の咬合面または表面に接触するように構成される厚くされた咬合面壁部と、前記厚くされた咬合面壁部に隣接したより薄い唇側壁部、および、舌側壁部と、を含む請求項１乃至請求項４のうちのいずれかに記載の経口治療用装置。
【請求項６】
前記経口治療用装置は、少なくとも４５℃で熱的に安定し、２５℃において塑性変形可能である請求項１乃至請求項５のうちのいずれかに記載の経口治療用装置。
【請求項７】
前記ワックス画分は、ワックスを基剤とした組成物の６０重量％から９０重量％までの範囲を含む請求項１乃至請求項６のうちのいずれかに記載の経口治療用装置。
【請求項８】
前記ワックス画分は、ワックスを基剤とした組成物の７５重量％から８５重量％までの範囲を含む請求項７に記載の経口治療用装置。
【請求項９】
前記ワックス画分は、熱可塑性エラストマーと実質的に均質に混合される請求項１乃至請求項８のうちのいずれかに記載の経口治療用装置。
【請求項１０】
前記熱可塑性エラストマーは、ワックスを基剤とした組成物の５重量％から５０重量％までの範囲を含む請求項１乃至請求項９のうちのいずれかに記載の経口治療用装置。
【請求項１１】
前記熱可塑性エラストマーは、ワックスを基剤とした組成物の１０重量％から４０重量％までの範囲を含む請求項１０に記載の経口治療用装置。
【請求項１２】
前記熱可塑性エラストマーは、熱可塑性ポリオレフィンエラストマーからなる請求項１乃至請求項９のうちのいずれかに記載の経口治療用装置。
【請求項１３】
前記熱可塑性ポリオレフィンエラストマーは、プロピレンを基剤としたエラストマーからなる請求項１２に記載の経口治療用装置。
【請求項１４】
前記ワックスを基剤とした組成物は、パラフィンワックス、マイクロクリスタリンワックス、および、前記熱可塑性エラストマーから実質的になる請求項１乃至請求項１３のうちのいずれかに記載の経口治療用装置。
【請求項１５】
前記立体の形態に隣接し、または、前記立体の形態の中に含浸させられている、経口治療組成物をさらに含む請求項１乃至請求項１４のうちのいずれかに記載の経口治療用装置。
【請求項１６】
請求項１乃至請求項１４のうちのいずれかに記載の経口治療用装置と、初期には経口治療用装置から分離されている経口治療組成物と、を含む経口治療用キット。
【請求項１７】
経口治療用装置を製造する方法であって、
パラフィンワックスおよびマイクロクリスタリンワックスを含む５０重量％から９３重量％までのワックス画分を含む混合物を形成するように、パラフィンワックスおよびマイクロクリスタリンワックスと熱可塑性エラストマーおよび少なくとも１つのポリマーとを組み合わせ、
ポリマー画分と混合されたワックス画分とからなるワックスを基剤とした組成物を形成するように、前記混合物を加工し、
前記ワックスを基剤とした組成物を、使用者の歯のうちの少なくとも一部に位置付けられように構成され、ある大きさの経口治療用装置にすることを含む方法。
【請求項１８】
前記パラフィンワックス、マイクロクリスタリンワックス、および、熱可塑性エラストマーは、前記ワックスを基剤とした組成物を、シート、または、線状の素材の形にするように押し出し成形機を使って加工される請求項１７記載の方法。
【請求項１９】
前記ワックスを基剤とした組成物は、立体の形態に射出成形される請求項１７または請求項１８記載の方法。
【請求項２０】
加工は、約５０℃から約２２５℃までの範囲にある温度まで前記混合物を加熱すること
を含む請求項１７乃至請求項１９のうちのいずれかに記載の方法。
【請求項２１】
加工は、約１０００ｐｓｉから約３０，０００ｐｓｉまでの範囲において、前記混合物に圧力を加えることを含む請求項１７乃至請求項２０のうちのいずれかに記載の方法。
【請求項２２】
前記ワックスを基剤とした組成物は、歯科治療用トレイまたは帯片の形に作られる請求項１７乃至請求項２１のうちのいずれかに記載の方法。
【請求項２３】
前記ワックスを基剤とした組成物は、治療用トレイ、歯ぎしり防止トレイ、顎関節（ＴＭＪ）障害、スポーツマウスガード、スポーツマウスガードインサート、歯列矯正ガードトレイ、手術後の口腔保護装置、または、患者の歯の咬合面箇所を記録するための変形可能な装置のうちから選択された立体の形態に作られる請求項１７乃至請求項２１のうちのいずれかに記載の方法。
【請求項２４】
ワックスを基剤とした組成物が、パラフィンワックス、マイクロクリスタリンワックス、および、熱可塑性エラストマーを含む、患者の口腔に治療、または、処理を施すように使用される治療用または処理用装置の作製のためのワックスを基剤とした組成物の使用方法。
【請求項２５】
前記治療用装置または処理用装置は、１以上の歯の咬合面または表面に接触するように構成される厚くされた咬合面壁部と、前記厚くされた咬合面壁部に隣接したより薄い唇側壁部、および、舌側壁部と、を含む請求項２４記載の使用方法。
【請求項２６】
前記治療用装置または処理用装置は、病人、高齢者、または虚弱な患者により使用されるように設計された治療用トレイである請求項２４または請求項２５記載の使用方法。
【請求項２７】
前記治療用装置または処理用装置は、歯ぎしり防止効果をもたらす請求項２４または請求項２５記載の使用方法。
【請求項２８】
前記治療用装置または処理用装置は、顎関節（ＴＭＪ）障害のための処置をもたらす請求項２４または請求項２５記載の使用方法。
【請求項２９】
前記治療用装置または処理用装置は、運動競技中の運動競技者の歯を保護する請求項２４または請求項２５記載の使用方法。
【請求項３０】
前記治療用装置または処理用装置は、歯科矯正処置後に、患者の口腔軟部組織を保護する請求項２４または請求項２５記載の使用方法。
【請求項３１】
前記治療用装置または処理用装置は、口腔内手術後に、患者の口を保護する請求項２４または請求項２５記載の使用方法。
【請求項３２】
前記治療用装置または処理用装置は、患者の歯の咬合面箇所を記録する請求項２４または請求項２５記載の使用方法。
【請求項３３】
前記ワックスを基剤とした組成物に隣接し、または、前記ワックスを基剤とした組成物内に含浸させられている、経口治療組成物をさらに含む請求項２４または請求項２５記載の使用方法。